【事件の表示】
　平成　９年特許願第２４３７１１号「検査装置」拒絶査定不服審判事件〔平成１１年　３月２６日出願公開，特開平１１−　８３６８７〕について，次のとおり審決する。
【結　論】
　本件審判の請求は，成り立たない。
【理　由】
第１　手続の経緯　
　本願は，平成９年９月９日の特許出願であって，平成１９年１月２６日付けで拒絶査定がなされ，これに対し，同年３月８日に拒絶査定に対する審判請求がなされるとともに，同年４月６日付けで手続補正（以下，「本件補正」という。）がなされたものである。　
　　
第２　本件補正についての補正却下の決定　
［補正却下の決定の結論］　
　　平成１９年４月６日付けの手続補正を却下する。　
［理由］　
１　補正後の請求項１に記載された発明　
　本件補正により，補正前の特許請求の範囲（平成１８年４月２７日付けで補正されたもの。以下，同様。）の請求項１は，次のとおりに補正された。（下線は，補正箇所を示す。）　
「【請求項１】検体を載せたスライドガラスを所定位置に搬送する搬送手段と、スライドガラス上の検体を拡大するための拡大手段と、スライドガラスを把持するためのスライドガラス把持部を有するＸ−Ｙステージ手段と、を備え、前記Ｘ−Ｙステージ手段は、二本のアーム状部材を有し、各アーム状部材の先端に前記スライドガラス把持部を有し、前記スライドガラス把持
部の
に向かって移動して前記所定位置にあるスライドガラス
前記スライドガラス把持部に把持させ、前記スライドガラス把持部に
されたスライドガラスを
　上記補正は，補正前の請求項１に係る発明を特定するために必要な事項である「前記スライドガラス把持部はその先端側から前記所定位置にあるスライドガラスの両端を把持して前記拡大手段まで移動させる」を，「前記スライドガラス把持
部の
に向かって移動して前記所定位置にあるスライドガラス
前記スライドガラス把持部に把持させ、前記スライドガラス把持部に
されたスライドガラスを
　　
　そこで，補正後の請求項１に係る発明（以下，「補正発明」という。）が特許出願の際に独立して特許を受けることができるものであるか（平成１８年法律第５５号改正附則第３条第１項によりなお従前の例によるとされてる同法による改正前の特許法第１７条の２第５項において準用する同法第１２６条第５項の規定に適合するか）について，以下検討する。　
　　
２　引用刊行物の記載事項　
　原査定の拒絶の理由に引用された刊行物である特公昭５６−５１３２５号公報（以下，「引用例１」という。）には，図面と共に次の事項が記載されている。　
　　
（１−ア）　
「１　複数の未検査スライドガラスを収納し得る上下動可能な供給装置と、複数の検査ずみのスライドガラスを収納できる空間を有する、上下動可能な収納装置と、前記供給装置と収納装置の間に設けた案内装置と、
　前記供給装置内のスライドガラスを取り出して戻ると同時に前記案内装置上にある検査すみのスライドガラスを前記収納装置内に送り込む如く、前記案内装置内を摺動可能な搬送装置と、　
　前記供給装置から取り出した前記搬送装置上の未検査スライドガラスが前記案内装置の所定位置に達したとき該スライドガラスの真上に位置して該スライドガラスを吸着しその後前記搬送装置が前記供給装置内の次のスライドガラスを取り出すために移動して前記案内装置の所定位置に搬送装置が存在しないときに検査ずみのスライドガラスを前記案内装置の所定位置に落下させる吸着装置と、前記供給装置、収納装置、搬送装置及び吸着装置をそれぞれ駆動する電動駆動装置とから成ることを特徴とする、スライドガラスの自動供給収納装置。　
２　特許請求の範囲第１項に記載の装置において、前記供給装置と前記収納装置のそれぞれの構成部品を同一にしたもの。　
３　特許請求の範囲第1項に記載の装置において、前記供給装置と前記収納装置のそれぞれの上下動のピッチを同一にしたもの。」（１頁１欄１８行〜同頁２欄７行）　
　　
（１−イ）　
「本発明は血液像分析装置に用いる未検査スライドガラスの供給側カセットからのＸ−Ｙステージへの自動供給及び検査すみのスライドガラスの収納カセットへの自動収納が同時に可能な装置に関する。」（１頁２欄９〜１３行）　
　　
（１−ウ）　
「本発明は、上記諸欠点を解決するため、所望の複数のスライドガラスを収納した供給側カセットと検査すみのスライドガラスを収納する収納側力セットとの間に設けた案内装置内を摺動可能な搬送装置によって未検査のスライドガラスを供給側カセットから取り出し同時に案内装置上にある検査ずみのスライドガラスを収納装置に送り込み、取り出したスライドガラスを吸着装置で吸着して検査を行ない、供給装置、収納装置、搬送装置波ぴ吸着装置をそれぞれ駆動する電動駆動装置を設けた構成を採用してそる。」（１頁２欄２５〜３５行）　
　　
（１−エ）　
「後述のＸ一Ｙステージ１に所定数だけ供給するための複数のスライドガラスが供給側カセット３０に収納されている。すなわち、カセット３０の構成部材２２，２３に、複数のスライドガラス収納用の溝２８を複数設け、かつスライドガラスが溝２８から抜け出るのを防止するための　形状抜け止め板２４を挿入する溝２６をそれぞれ設ける。カセット３０を裁置台１８の端部に配設する。裁置台１８と一体に設けたナット１６と螺合する送りねじ１２をベース５０に遊嵌し他端にＤＣモータ６を接続してある。カセット載置台１８の送りねじ１２まわりの回転防止のため載置台のカセット取付端と反対側に切り欠き４７を形成し、この切欠きに係合するガイド棒１４をベース５０に固定する。ガイド棒１４の他端にリミットスイツチ１０を設けてある。このリミットスイツチは送りねじに設けた突起付きノブ８と係合するとＤＣモータ６の回転を停止する。なお抜け止め板２４の形状は、後述のキャリヤ３４の切欠き３６にスライドガラスを載せて取り出す必要から　形状にするのが望ましい。
　以上のカセット３０、載置台１８、送りねじ１２、ＤＣモータ６、リミットスイッチ１０、ガイド棒１４、ノブ８によって供給装置を構成する。」（２頁３欄２〜２５行）　
　　
（１−オ）　
「Ｘ−Ｙステージ１のＹ方向部に２つの真空チャツクアーム２，２を固定する。このアームはＸ−Yステージの電動駆動装置(不図示)により移動可能である。各アーム中を通って下面に口３ａ，４ａを設けたチューブ３，４を不図示の真空源に接続してアームの下面の口３ａ，４ａから真空を供給する。真空チャックアーム２，２は、カセツト３０から取り出したスライドガラスが左方向に移動して案内装置の所定位置に来たときキャリヤの切欠き３６中に載っているスライドガラスを真空チャックアーム２，２により吸い上げる。以上の要素１，２，３，４により吸着装置を構成する。なお、案内装置の所定位置にスライドガラスがきたときにキャリヤ ３４の切欠き３６中に設けた貫通孔３５を介してスライドガラス押上げ棒４ ４を押上げてスライドガラスを持ち上げ吸着をしやすくすることもできる。」（２頁４欄７〜２３行）　
　　
（１−カ）　
「次に第２ｃ図に示すように、キャリヤ３４をＤＣモータ４１の逆回転によって左方向へ移動させる。キャリヤ３４が案内装置内を左へ移動するときキャリヤ３４の切欠き３６の先端凸部３４ａがスライドガラスを引っかけてくる。キャリヤ３４に載せたスライドガラス４５が吸着装置の真空チャックアームの真下にきたときべース５０に固設したストッパー４２とキャリヤ３４のアームとの衝接によってキャリヤの左移動が停止する。このとき第２ｄ図に示すようにスライド押し上げ棒４４がキャリヤの切欠き３６の貫通孔３５を通過してスライドガラスをもち上げ真空チャックア一ム２，２押し付け、このときチューブ３，４を介して真空を供給されるので、スライドガラスは吸着装置に吸着される。なお未検査のスライドガラスのＸ−Ｙステージ１ヘの自動供給のための一連の動作は公知の電気回路によって行なわれていない。　
　吸着装置に吸着保持されたスライドガラスをＸ−Ｙステージ１を所定位置まで移動して顕微鏡で観察できる。以上の動作をくり返すことでカセット中のスライドガラス観順次自動的に取り出して顕微鏡観察できる。　
　顕微鏡で観察の終ったスライドガラスは収納側カセット２９に収納される。」（２頁４欄４２行〜３頁５欄２２行）　
　　
　上記記載事項（１−ア）〜（１−カ）および図面を総合すると,引用例１には次の発明が記載されていると認められる。　
「複数の未検査スライドガラスを収納し得る上下動可能な供給装置と，複数の検査ずみのスライドガラスを収納できる空間を有する，上下動可能な収納装置と，前記供給装置と収納装置の間に設けた案内装置と，前記供給装置内のスライドガラスを取り出して戻ると同時に前記案内装置上にある検査すみのスライドガラスを前記収納装置内に送り込む如く，前記案内装置内を摺動可能な搬送装置と，前記供給装置から取り出した前記搬送装置上の未検査スライドガラスが前記案内装置の所定位置に達したとき，該スライドガラスの真上に位置して該スライドガラスを吸着保持するとともに，Ｙ方向部に２つの真空チャツクアーム２，２が固定されたＸ−Ｙステージ１をスライドガラスを吸着保持したまま所定位置まで移動して顕微鏡で観察させる吸着装置と，前記供給装置，収納装置，搬送装置および吸着装置をそれぞれ駆動する電動駆動装置とから成るスライドガラスの自動供給収納装置を用いた血液像分析装置。」（以下，「引用発明」という。）　
　　
３　補正発明について　
（１）対比　
　補正発明と引用発明とを対比すると，引用発明の「複数の未検査スライドガラス」，「案内装置内を摺動可能な搬送装置」，「顕微鏡」，「Ｘ−Ｙステージ１」，「２つの真空チャツクアーム２，２」および「スライドガラスの自動供給収納装置を用いた血液像分析装置」は，補正発明の「検体を載せたスライドガラス」，「搬送手段」，「拡大手段」，「Ｘ−Ｙステージ手段」，「二本のアーム状部材」および「検査装置」にそれぞれ相当することは明らかである。また，引用発明の「スライドガラスを吸着保持」と補正発明の「スライドガラスを把持」は，「スライドガラスを保持」する点にて共通するといえる。　
　そうすると，両者は，　
（一致点）　
「検体を載せたスライドガラスを所定位置に搬送する搬送手段と，スライドガラス上の検体を拡大するための拡大手段と，スライドガラスを保持するためのスライドガラス保持部を有するＸ−Ｙステージ手段と，を備え，前記Ｘ−Ｙステージ手段は，二本のアーム状部材を有し，各アーム状部材の先端に前記スライドガラス保持部を有し，前記所定位置にあるスライドガラスの両端を前記スライドガラス保持部に保持させ，前記スライドガラス保持部に保持されたスライドガラスを前記拡大手段まで移動させると共に，前記拡大手段に対してスライドガラスを位置決めする検査装置。」　
である点で一致し，次の点で相違する。　
　　
（相違点）　
　補正発明では「前記スライドガラス把持部の先端側から前記所定位置にあるスライドガラスに向かって移動してスライドガラスを把持させ」るのに対し，引用発明では「搬送装置上の未検査スライドガラスが案内装置の所定位置に達したとき，該スライドガラスの真上に位置して該スライドガラスを吸着保持」する点。　
　　
（２）判断　
　まず，本願明細書の段落【００１９】〜【００２４】には以下の記載がある。　
「【００１９】図１１及び図１２において、クランパ８４の後部には、フォーク８２の後部に固定された固定具１１０に取付けられたスプリング１１２が係止され、このスプリング１１２により、クランパ８４の後部は下方向に常時付勢される。このため、クランパ８４の把持片８４ａは、常態ではピン８６を支点として上方向に付勢され、フォーク８２の把持片８２ａと共に閉じた状態にある。このクランパ８４（即ち把持片８４ａ）の開閉を検出するためのセンサ１１４が固定具１１０に取付けられている。　
【００２０】Ｘ−Ｙステージ８０の前後方向の移動に対して、シャッタ８８が矢印ハ方向（上下方向）に移動可能に支持されている。シャッタ８８は、上下方向に開口するスリット９０を有し、装置のフレーム（図示せず）に固定されたガイドピン９２がスリット９０に挿通され、スリット９０とガイドピン９２により、シャッタ８８の上下方向の移動が安定して支持される。シャッタ８８の前側下部には、円柱状のストッパ９４が突設され、このストッパ９４がスライドガラス９と同一レベルに位置するときは、スライドガラス９がストッパ９４に当たり、カセット１０からスライドガラス９を取り出すことができない。
【００２１】シャッタ８８を上下方向に移動させるリンク９６は、フレームに取付けられた支点９８により矢印ニ方向（上下方向）に揺動可能であり、このリンク９６にシャッタ８８の上部がピン１００によって取付けられている。従って、リンク９６の上下動に応じて、シャッタ８８が上昇・下降する。なお、図面には示していないが、リンク９６の上下動は例えばモータ、カム、スプリングの組合せにより行われ、モータの作動によるカムの回転によりリンク９６か上がり、スプリングによりリンク９６が下がるように構成されている。又、シャッタ８８の上限及び下限を検出するフォトセンサが設けられている。更に、検査位置Ｂにあるカセット１０から、検査対象のスライドガラス９以外のスライドガラス９が飛び出すのを防止するために、シャッタ８８の両側にスライドガラス保持ガイドが上下方向に設けられている。
【００２２】又、シャッタ８８の下部にはガイドローラ１０２が回転可能に設けられており、シャッタ８８が下降状態にあるときに、ガイドローラ１０２がクランパ８４の上縁に当たることで、クランパ８４（即ち把持片８４ａ）が押し下げられ、スライドガラス把持部（把持片８２ａ，８４ａ）が開状態となる。一方、シャッタ８８が上昇状態にあるときは、ガイドローラ１０２がクランパ８４の上縁から離れることで、クランパ８４の後部が前記スプリング１１２によって引っ張られ、把持片８４ａが上がり、スライドガラス把持部が閉状態となる。
【００２３】図１１及び図１２に示すように、検査位置Ｂにおいて、上側には対物レンズ１１６が、下側にはコンデンサレンズ１１８が配置され、拡大手段（拡大鏡）としての両レンズ１１６，１１８は対向している。このようなスライドガラスの出入機構においては、カセット１０が検査位置Ｂに搬送されると、例えばカセット１０の最下のスライドガラス９がまず取り出される。このとき、リンク９６によりシャッタ８８は下降状態にあり、最下のスライドガラス９と同レベルにストッパ９４が位置する。この状態で、Ｘ−Ｙステージ８０が前進する。前進に伴って、ガイドローラ１０２がクランパ８４の上縁に当たり、クランパ８４の前部が押し下げられ、把持片８４ａが下がり、スライドガラス把持部（把持片８２ａ，８４ａ）が開状態となると共に、その把持部がシャッタ８８の切欠き９３を通過し、把持片８２ａがスライドガラス９の上側に、把持片８４ａがスライドガラス９の下側に位置し、両把持片８２ａ，８４ａによりスライドガラス９が軽く把持される（図１１の状態参照）。　
【００２４】次いで、リンク９６によりシャッタ８８が上昇する。すると、ガイドローラ１０２がクランパ８４から離れ、スライドガラス９が把持片８２ａ，８４ａにより完全に把持されると共に、ストッパ９４がスライドガラス９のレベルからずれる（図１２の状態参照）。この状態で、Ｘ−Ｙステージ８０がスライドガラス９を把持したまま後退する。そして、スライドガラス９が対物レンズ１１６とコンデンサレンズ１１８との間に位置した時点で、Ｘ−Ｙステージ８０はスライドガラス９の位置を微調整するために、Ｘ−Ｙ方向に微動する。又、スライドガラス９上の検体細胞の検査中にも、走査のためにＸ−Ｙステージ８０はＸ−Ｙ方向に微動する。」　
　以上の記載からみて，本願発明における「スライドガラスを把持する」とは，「スプリングの弾発力を加え一対の板片により挟持する」ことを含むものであるといえる。なお，ここでいう「挟持」とは，挟んだ状態で支持することを意味する（「特許技術用語集−第３版−」，特許技術用語委員会編，日刊工業新聞社発行，２００６年８月３１日発行，４０頁参照）。　
　　
　一方，板状のものを扱う種々の技術分野において，「その先端側から所定位置にある板状のものに向かって移動して該板状のものを挟持させるとともに，弾発力を加え一対の板片により挟持する」ことは本願出願前周知の事項である。例えば，実公昭５２−１８１４３号公報の１頁２欄２８〜３２行には「さらに、このスライド棒４を矢印方向へ移動していくと、ホルダー５の左右の押え片とピン２，３との係合が外れ、このときはじめてホルダー５が第６図６ａ（当審注：「６ｄ」の誤記。）のようにプレパラートＰを挟持する。」と記載されている。また，特公昭６３−３０４０号公報の２頁４欄５〜１９行には「而して上述の如く構成された挾持具にてプリント基板を挾持するには固定挾持片及び可動挾持片のいずれか一方あるいは双方はシリンダその他の押圧具にて押すことによりばねに抗して両挾持片下部は解放され開口する。・・・・・この状態でプリント基板の端子部側を開口した両挾持片間に挿入された後、可動挾持片上部のシリンダ等による押圧力を解除するとばね４の復元力にて挾持片１，２は閉じプリント基板が挾持される・・・・・」と記載されている。　
　また，引用発明の「Ｘ−Ｙステージ」のようなＸおよびＹ方向に移動させる「ステージ」（テーブル）を軽量化することも，例えば，特開昭５９−５３１３４号公報の１頁右下欄９〜１３行，特公昭６０−１２１７１号公報の１頁２欄２３〜２８行あるいは実願昭５６−１３６３８４号（実開昭５８−４２９４３号）のマイクロフィルムの明細書６頁１４〜１７行に記載されているように，種々の技術分野において一般的に考慮されている技術的事項すなわち課題に過ぎず，引用発明の「真空チャツクアーム」を前記周知の「弾発力を加える一対の板片」に変更することにより，引用発明の「Ｘ−Ｙステージ」が軽量化されることは，当業者ならば予測し得る範囲内のものであるといえる。　
　　
　してみると，引用発明において，上記周知の事項を適用して，引用発明の「真空チャツクアーム」を上記周知の「弾発力を加える一対の板片」に替えるとともに，相違点における本願発明の構成とすることは，当業者が必要に応じて容易に想到し得る事項であるというべきである。　
　　
　そして，本願明細書に記載された相違点に係る構成を採用したことによる効果も予測し得る範囲内のものであり，格別顕著なものといえない。　
　　
　したがって，補正発明は，本願出願前に国内において頒布された引用発明および前記周知の事項に基づいて当業者が容易に発明をすることができたものであるから，特許法第２９条第２項の規定により，特許出願の際独立して特許を受けることができないものである。　
　　
４　まとめ　
　以上のとおりであるから，本件補正は，平成１８年法律第５５号改正附則第３条第１項によりなお従前の例によるとされてる同法による改正前の特許法第１７条の２第５項において準用する同法第１２６条第５項の規定に違反するので，特許法第１５９条第１項の規定において読み替えて準用する同法第５３条第１項の規定により，却下すべきものである。　
　　
第３　本願発明について
１　本願発明　
　本件補正は上記のとおり却下されることなったので，本願の請求項１〜４に係る発明は，平成１８年４月２７日付けの手続補正書により補正された明細書の特許請求の範囲の請求項１〜４に記載されたとおりのものと認められ，その請求項１は，次のとおりである。（以下，「本願発明」という。）　
　　
「【請求項１】検体を載せたスライドガラスを所定位置に搬送する搬送手段と、スライドガラス上の検体を拡大するための拡大手段と、スライドガラスを把持するためのスライドガラス把持部を有するＸ−Ｙステージ手段と、を備え、前記Ｘ−Ｙステージ手段は、
二本のアーム状部材を有し、各アーム状部材の先端に前記スライドガラス把持部を有し、
その先端側から
の両端
　　
２　引用刊行物の記載事項　
　原査定の拒絶の理由に引用した引用例１およびその記載事項は，前記「第２　２」に記載したとおりである。　
　　
３　本願発明について
　本願発明は，「前記スライドガラス把持部はその先端側から前記所定位置にあるスライドガラスの両端を把持して前記拡大手段まで移動させる」を，「前記スライドガラス把持部の先端側から前記所定位置にあるスライドガラスに向かって移動して前記所定位置にあるスライドガラスの両端を前記スライドガラス把持部に把持させ、前記スライドガラス把持部に把持されたスライドガラスを前記拡大手段まで移動させる」とするという限定がないものである。そうすると，本願発明の構成要件を全て含む補正発明が前記「第２　３（２）」において検討したとおり，引用発明および前記周知の事項に基づいて当業者が容易に発明をできたものであるから，本願発明も，同様の理由により，引用発明および前記周知の事項に基づいて，当業者が容易に発明をできたものであるというべきである。　
　　
４　むすび　
　以上のとおり，本願発明は，特許法第２９条第２項の規定により特許を受けることができないから，その余の請求項に係る発明について検討するまでもなく，本願は拒絶されるべきものである。　
　よって，結論のとおり審決する。